(57)【要約】【課題】洗濯物に満遍なく給水し、洗浄、すすぎ性能を向上させる洗濯機を提供すること。【解決手段】整流ケース１０の注水口部１１に設けた開口部１２は、製品正面視の横幅方向において、洗濯兼脱水槽２の中央部から外周部にかけて満遍なく注水するための複数の断面形状を有する構成とすることにより、注水口部１１から洗濯兼脱水槽２に注がれる水は、パルセータ５の回転により洗濯兼脱水槽２内を回転する洗濯物に対して、洗濯兼脱水槽２の中央部から外周部にかけて満遍なく注ぐことができるために、洗い行程においては、洗濯物が十分に吸水するまでの時間が短くなり、すすぎ行程においては、節水方式のシャワーすすぎであっても、注水される水は洗濯兼脱水槽２内のどの位置にある洗濯物にも素早く吸水させるので、洗浄性能、すすぎ性能を向上させることができる。【選択図】図１
2017012471.tif 000002
【特許請求の範囲】
【請求項１】
洗濯兼脱水槽と、筐体内部に防振支持され、前記洗濯兼脱水槽を回転自在に内包する水槽と、前記水槽内に給水する給水弁と、前記給水弁と連通し水を整流する整流ケースと、前記整流ケースに形成した注水口部と、前記注水口部に設けられ水が流れる流水面と、前記流水面と前記注水口部の前面側に設けられた開口部調整壁とで形成され、前記洗濯兼脱水槽内に向かって水が流れ出る開口部とを備え、前記注水口部の開口部は、前記洗濯兼脱水槽の中央部から外周部にかけて異なる複数の断面形状に形成した洗濯機。
【請求項２】
注水口部の開口部は、中央部分の断面形状が、開口部調整壁の高さが上下方向で短く、流水面の前端部が前記開口部調整壁よりも前面側に突出する形状に形成し、中央部分の左右位置の断面形状が、前記開口部調整壁が前記流水面の前端部と略同一面となる形状に形成し、両端部分の断面形状が、前記開口部調整壁が下方に長く、前記流水面が前記開口部調整壁よりも後方に位置する形状に形成した請求項１に記載の洗濯機。
【請求項３】
注水口部の開口部は、中央部分の断面形状が、流水面が開口部調整壁よりも後方に位置する形状に形成し、中央部分の左右位置の断面形状が、前記開口部調整壁が前記流水面の前端部と略同一面となる形状に形成し、両端部分の断面形状が、前記開口部調整壁の高さが上下方向で短く、前記流水面の前端部が前記開口部調整壁よりも前面側に突出する形状に形成した請求項１に記載の洗濯機。
【請求項４】
注水口部の開口部は、中央部分の断面形状が、開口部調整壁の高さが上下方向で短く、流水面の前端部が前記開口部調整壁よりも前面側に飛び出ている形状に形成し、両端部分の断面形状が、前記開口部調整壁が下方に長く、前記流水面が前記開口部調整壁よりも後方に位置する形状に形成した請求項１に記載の洗濯機。
【発明の詳細な説明】
【技術分野】
【０００１】
本発明は、洗い、すすぎ、脱水などの行程を行なう洗濯機に関するものである。
【背景技術】
【０００２】
従来、この種の洗濯機は、洗濯物を収容する洗濯兼脱水槽を上方から臨む位置に注水口を有し、運転開始時に、注水口から洗濯兼脱水槽内の洗濯物に対して給水する構成が提案されている（例えば、特許文献１参照）。
【０００３】
図７は、特許文献１に記載された従来の洗濯機の縦断面図である。
【０００４】
図７において、洗濯機の本体５１は、内部にサスペンション５２により水槽５３を懸垂防振支持している。水槽５３には、洗濯兼脱水槽（洗濯槽）５５が回転自在に内包され、洗濯兼脱水槽（洗濯槽）５５の中央底部には、衣類攪拌用のパルセータ５８が配設されている。モータ６０は、水槽５３の底部に取り付けられ、駆動プーリ６１、ベルト６３、および従動プーリ６２を介してモータ６０の動力をパルセータ５８および洗濯兼脱水槽５５に選択的に伝達する。
【０００５】
本体５１の上部には、上部枠体６４を配し、上部枠体６４の略中央部には、洗濯兼脱水槽５５と外部とを連通するための洗濯物投入取出口６５を形成し、洗濯物投入取出口６５は、蓋体６６にて開閉自在に覆われている。
【０００６】
洗濯物投入取出口６５の後部には、洗剤ケース６９を前方へ引き出し可能に収納し、給水弁６８とホース７０を介して水密保持し連通する注水ケース７１からなる洗剤注水装置７２が配設されている。
【０００７】
注水ケース７１には、洗剤ケース６９の上方に複数の注水孔（図示せず）を有する注水部７３が設けられ、洗剤ケース６９の下方に後方から前方にかけて下方傾斜した流水面７５を設け、前方に注水口７６が設けられている。
【０００８】
給水弁６８より給水された水は、複数の注水孔より洗剤ケース６９上に散水され、散水された水は、注水ケース７１の流水面７５上に落下し、流水面７５上を前方に流れ、注水口７６より矢印Ｘのように洗濯兼脱水槽１５に注水される。運転行程において、洗い行程の始めには、洗剤ケース６９に投入された粉末洗剤が水と共に、すすぎ行程にはすすぎのための水が、図の矢印Ｘのように洗濯兼脱水槽１５に供給される。
【先行技術文献】
【特許文献】
【０００９】
【特許文献１】特開２００７−２７５３２７号公報
【発明の概要】
【発明が解決しようとする課題】
【００１０】
しかしながら、前記従来の構成では、注水口より洗濯兼脱水槽に注水される水は、１箇所から一つの水流として供給されるので、洗濯兼脱水槽の中央部分に位置する洗濯物には水が散布されるが、洗濯兼脱水槽の外周側に位置する洗濯物には水を散布することが難しい。
【００１１】
このため、洗い行程において、衣類が十分に吸水するまでに時間が掛かり、すすぎ行程
においては、衣類を投入した洗濯兼脱水槽を低速回転させながら衣類に向けて注水するという節水方式であるシャワーすすぎにした際、洗濯容量が少ない場合は、すすぎ行程の最初の脱水で衣類が洗濯兼脱水槽の壁面に張付いた状態となり、注水される水が衣類に当らず、すすぎの効果が十分に得られないという、基本性能上の課題があった。
【００１２】
本発明は、前記従来の課題を解決するもので、洗濯兼脱水槽の中央部分から外周側部分までの洗濯物に早期に吸水させて、洗浄性能、すすぎ性能を向上させる洗濯機を提供することを目的とする。
【課題を解決するための手段】
【００１３】
前記従来の課題を解決するために、本発明の洗濯機は、洗濯兼脱水槽と、筐体内部に防振支持され、前記洗濯兼脱水槽を回転自在に内包する水槽と、前記水槽内に給水する給水弁と、前記給水弁と連通し水を整流する整流ケースと、前記整流ケースに形成した注水口部と、前記注水口部に設けられ水が流れる流水面と、前記流水面と前記注水口部の前面側に設けられた開口部調整壁とで形成され、前記洗濯兼脱水槽内に向かって水が流れ出る開口部とを備え、前記注水口部の開口部は、前記洗濯兼脱水槽の中央部から外周部にかけて異なる複数の断面形状に形成したものである。
【００１４】
これによって、注水口部から洗濯兼脱水槽に注がれる水は、パルセータの回転により洗濯兼脱水槽内を回転する洗濯物に対して、洗濯兼脱水槽の中央部から外周部にかけて満遍なく注ぐことができるために、洗い行程においては、洗濯物が十分に吸水するまでの時間が短くなり、すすぎ行程においては、節水方式のシャワーすすぎであっても、注水される水は洗濯兼脱水槽内のどの位置にある洗濯物にも素早く吸水させるので、洗浄性能、すすぎ性能を向上させることができる。
【発明の効果】
【００１５】
本発明の洗濯機は、洗濯兼脱水槽内を回転する洗濯物に対して、洗濯兼脱水槽の中央位置から外周位置にかけて満遍なく注ぐことができるので、洗浄性能、すすぎ性能を向上させることができる。
【図面の簡単な説明】
【００１６】
【図１】本発明の実施形態における洗濯機の縦断面図
【図２】同洗濯機の注水口部より水が散布される状態を示す平面図
【図３】同洗濯機の注水口部の正面図
【図４】同洗濯機の注水口部のＡ―Ａ断面図
【図５】（ａ）同洗濯機の注水口部のＢ―Ｂ断面図、（ｂ）同洗濯機の他の形態の注水口部のＢ―Ｂ断面図
【図６】同洗濯機の注水口部のＣ−Ｃ断面図
【図７】従来の洗濯機の縦断面図
【発明を実施するための形態】
【００１７】
第１の発明は、洗濯兼脱水槽と、筐体内部に防振支持され、前記洗濯兼脱水槽を回転自在に内包する水槽と、前記水槽内に給水する給水弁と、前記給水弁と連通し水を整流する整流ケースと、前記整流ケースに形成した注水口部と、前記注水口部に設けられ水が流れる流水面と、前記流水面と前記注水口部の前面側に設けられた開口部調整壁とで形成され、前記洗濯兼脱水槽内に向かって水が流れ出る開口部とを備え、前記注水口部の開口部は、前記洗濯兼脱水槽の中央部から外周部にかけて異なる複数の断面形状に形成したものである。
【００１８】
これにより、注水口部から洗濯兼脱水槽に注がれる水は、パルセータの回転により洗濯
兼脱水槽内を回転する洗濯物に対して、洗濯兼脱水槽の中央部から外周部にかけて満遍なく注ぐことができるために、洗い行程においては、洗濯物が十分に吸水するまでの時間が短くなり、すすぎ行程においては、節水方式のシャワーすすぎであっても、注水される水は洗濯兼脱水槽内のどの位置にある洗濯物にも素早く吸水させるので、洗浄性能、すすぎ性能を向上させることができる。
【００１９】
第２の発明は、特に、第１の発明の注水口部の開口部は、中央部分の断面形状が、開口部調整壁の高さが上下方向で短く、流水面の前端部が前記開口部調整壁よりも前面側に突出する形状に形成し、中央部分の左右位置の断面形状が、前記開口部調整壁が前記流水面の前端部と略同一面となる形状に形成し、両端部分の断面形状が、前記開口部調整壁が下方に長く、前記流水面が前記開口部調整壁よりも後方に位置する形状に形成したものである。
【００２０】
これにより、注水口部から洗濯兼脱水槽に注がれる水は、パルセータの回転により洗濯兼脱水槽内を回転する洗濯物に対して、洗濯兼脱水槽の中央部から外周部にかけて満遍なく注ぐことができるために、洗い行程においては、洗濯物が十分に吸水するまでの時間が短くなり、すすぎ行程においては、節水方式のシャワーすすぎであっても、注水される水は洗濯兼脱水槽内のどの位置にある洗濯物にも素早く吸水させるので、洗浄性能、すすぎ性能を向上させることができる。
【００２１】
第３の発明は、特に、第１の発明の注水口部の開口部は、中央部分の断面形状が、流水面が開口部調整壁よりも後方に位置する形状に形成し、中央部分の左右位置の断面形状が、前記開口部調整壁が前記流水面の前端部と略同一面となる形状に形成し、両端部分の断面形状が、前記開口部調整壁の高さが上下方向で短く、前記流水面の前端部が前記開口部調整壁よりも前面側に突出する形状に形成したものである。
【００２２】
これにより、注水口部から洗濯兼脱水槽に注がれる水は、パルセータの回転により洗濯兼脱水槽内を回転する洗濯物に対して、洗濯兼脱水槽の中央部から外周部にかけて満遍なく注ぐことができるために、洗い行程においては、洗濯物が十分に吸水するまでの時間が短くなり、すすぎ行程においては、節水方式のシャワーすすぎであっても、注水される水は洗濯兼脱水槽内のどの位置にある洗濯物にも素早く吸水させるので、洗浄性能、すすぎ性能を向上させることができる。
【００２３】
第４の発明は、特に、第１の発明の注水口部の開口部は、中央部分の断面形状が、開口部調整壁の高さが上下方向で短く、流水面の前端部が前記開口部調整壁よりも前面側に飛び出ている形状に形成し、両端部分の断面形状が、前記開口部調整壁が下方に長く、前記流水面が前記開口部調整壁よりも後方に位置する形状に形成したものである。
【００２４】
これにより、注水口部から洗濯兼脱水槽に注がれる水は、パルセータの回転により洗濯兼脱水槽内を回転する洗濯物に対して、洗濯兼脱水槽の中央部から外周部にかけて満遍なく注ぐことができるために、洗い行程においては、洗濯物が十分に吸水するまでの時間が短くなり、すすぎ行程においては、節水方式のシャワーすすぎであっても、注水される水は洗濯兼脱水槽内のどの位置にある洗濯物にも素早く吸水させるので、洗浄性能、すすぎ性能を向上させることができる。
【００２５】
以下、本発明の実施の形態について、図面を参照しながら説明する。また、この実施の形態によって本発明が限定されるものではない。
【００２６】
（実施の形態１）
図１は、本発明の実施の形態における洗濯機の縦断面図、図２は同洗濯機の注水口より
水が散布される状態を示す平面図である。
【００２７】
図１、図２において、筐体１は、上部角隅から弾性体１６により水槽３を弾性支持している。洗濯物１７を収容する洗濯兼脱水槽２は、水槽３内に回転自在に配設されている。モータ（駆動手段）４は、洗濯兼脱水槽２およびパルセータ５を駆動する。
【００２８】
筐体１上部には、上部枠体２０が配設され、上部枠体２０の後部には給水弁９が設けられている。給水弁９は、給水源からの水を弁の開閉によって整流ケース１０に給水し、整流ケース１０の注水口部１１から洗濯兼脱水槽２内に給水する手段である。また、排水手段１５は、水槽３内の洗濯水を排水するものである。
【００２９】
上部枠体２０の前面上部には、操作表示手段８が設けられ、操作表示手段８により入力された設定内容に基づいて、洗い、すすぎ、脱水、乾燥の各行程を運転する。
【００３０】
筐体１の後面側内方には、乾燥行程時に乾燥した空気を洗濯兼脱水槽２内の洗濯物に供給する乾燥用冷却水流路（兼乾燥用循環風流路）１９が設けられており、洗濯物に残っている水分を蒸発させ、蒸発させた水分を再度乾燥用冷却水流路（兼乾燥用循環風流）１９に吸気させ、吸気された空気を冷却水やコンプレッサ（図示せず）によって発生した冷気によって冷却し結露させることで乾燥させ、乾燥した空気を再度ヒータ（図示せず）やコンプレッサによって発生した熱気によって加熱し、再度洗濯兼脱水槽２内に供給する。なお、乾燥機能はなくても良い。
【００３１】
筐体１内下部に配設された制御手段６は、モータ４、給水弁９、排水手段１５などを制御し、洗い、すすぎ、脱水、乾燥の各行程を逐次制御する。
【００３２】
以上のように構成された洗濯機について、以下、その動作、作用を説明する。
【００３３】
図３は、本発明の実施形態における洗濯機の注水口部の正面図、図４は、同注水口部の図３におけるＡ―Ａ断面図、図５（ａ）、（ｂ）は、同注水口部の図３におけるＢ―Ｂ断面図、図６は、同注水口部の図３におけるＣ―Ｃ断面図である。
【００３４】
図３、図４、図５（ａ）、（ｂ）、図６において、洗濯兼脱水槽２内に洗濯物と洗剤を投入後、操作表示手段８を操作して運転を開始すると、給水弁９を動作して洗濯兼脱水槽２内に水が供給され、洗濯兼脱水槽２内の水位が所定水位になると、洗濯兼脱水槽２またはパルセータ５が回転を開始する。洗濯兼脱水槽２またはパルセータ５の回転によって、洗剤は水に溶かされ、洗濯液となって衣類に浸透する。洗濯兼脱水槽２またはパルセータ５によって洗濯物を攪拌させ、所定時間の洗い行程を行う。
【００３５】
洗い行程終了後は、排水手段１５が作動し、汚れを溶かし込んだ水は、水槽３の外に排水され、すすぎ行程へと移行する。
【００３６】
すすぎ行程では、洗濯兼脱水槽２内に水を溜めてパルセータによる攪拌によりすすぎを行なうためすすぎ、あるいは、洗濯兼脱水槽２を低速回転させながら洗濯物に向けて注水するという節水方式であるシャワーすすぎを行なって、すすぎ行程を進めていく。すすぎ行程終了後は、脱水行程へ移行し、洗濯兼脱水槽２を高速回転させて脱水を行ない、所定時間経過後運転が終了する。
【００３７】
ここで、洗い、あるいは、すすぎ時に水を供給する際には、給水弁９からの水を整流させる整流ケース１０の注水口部１１の開口部１２から洗濯兼脱水槽２に水が供給される。開口部１２の形状は、図３にその配置を示すように、正面視で左右対称であり、中央部の
Ａ―Ａ断面形状、中央部の左右に配置したＢ―Ｂ断面形状、両端に配置したＣ―Ｃ断面形状の３種類の形状に形成している。
【００３８】
図４は、図３におけるＡ−Ａ断面図であり、図４に示すように、注水口部１１の中央位置においては、開口部１２の開口部調整壁１３が水の流水面１４の上部にある構造、つまり、開口部調整壁１３の高さが上下方向で短く、流水面１４の前端部が開口部調整壁１３よりも前面側に飛び出ている構造となっており、水が流水面１４より前方の洗濯兼脱水槽２の中央位置側に向かって矢印Ａのように注がれる。
【００３９】
図５（ａ）は、図３におけるＢ−Ｂ断面図であり、図５（ａ）に示すように、注水口部１１の中央部分の左右位置においては、開口部１２の開口部調整壁１３が流水面１４の前端部と略同一面となっており、水が流水面１４より前方の洗濯兼脱水槽２中央位置と外周部との間に向かって矢印Ｂのように注がれる。
【００４０】
なお、図５（ｂ）示すように、流水面１４の前端部が、開口部１２の開口部調整壁１３の面よりもわずかに下がった構造であっても良い。この時は、水が流水面１４より前方の洗濯兼脱水槽２中央位置と外周部との間に向かって矢印Ｂ‘のように注がれる。
【００４１】
また、図６は、図３におけるＣ−Ｃ断面図であり、図６に示すように、注水口部１１の両端部位置においては、開口部１２の開口部調整壁１３が下方に長く、流水面１４が開口部調整壁１３よりも後方に下がった構造となっており、水が流水面１４より開口部調整壁１３の裏面に当たり、洗濯兼脱水槽２の外周位置側に向かって矢印Ｃのように注がれる。
【００４２】
以上の注水口部１１の３種類の断面形状により、注水口部１１から洗濯兼脱水槽２に注がれる水は、パルセータ５の回転により洗濯兼脱水槽２内を回転する洗濯物に対して、洗濯兼脱水槽２の中央部から外周部にかけて満遍なく注ぐことができるために、洗い行程においては、洗濯物が十分に吸水するまでの時間が短くなる。すすぎ行程においては、節水方式のシャワーすすぎであっても、注水される水は洗濯兼脱水槽２内のどの位置にある洗濯物にも素早く吸水させるので、洗浄性能、すすぎ性能を向上させることができる。
【００４３】
なお、洗濯兼脱水槽２の容量の大きさや高さなどの形状により、前述の３種類の断面形状を、例えば、注水口部１１の中央位置をＣ―Ｃ断面形状、中央部分の左右位置をＢ―Ｂ断面形状、両端部位置をＡ―Ａ断面形状にしても良い。あるいは、注水口部１１の中央位置をＡ―Ａ断面形状にし、両端部位置をＣ―Ｃ断面形状の２種類にしても良い。
【産業上の利用可能性】
【００４４】
洗濯兼脱水槽の中央側から外周側までの洗濯物に早期に吸水させて、洗浄性能、すすぎ性能を向上させることができるので、上方より給水する構成を持つ他の洗濯機の用途に適用できる。
【符号の説明】
【００４５】
１  筐体
２  洗濯兼脱水槽
３  水槽
４  モータ
５  パルセータ
６  制御手段
９  給水弁
１０  整流ケース
１１  注水口部
１２  開口部
１３  開口部調整壁
１４  流水面
２０  上部枠体
【図１】
2017012471.tif 000003
【図２】
2017012471.tif 000004
【図３】
2017012471.tif 000005
【図４】
2017012471.tif 000006
【図５】
2017012471.tif 000007
【図６】
2017012471.tif 000008
【図７】
2017012471.tif 000009